(57)【要約】【課題】画素数の増加や撮像の高速化を図る場合であっても消費電力の増大を抑制することができる固体撮像装置を提供する。【解決手段】固体撮像装置１は、撮像用受光部１０、モニタ用受光部２０、行選択部３０、列選択部４０、電圧保持部５０、出力部６０および制御部７０を備える。出力部６０は、撮像用受光部１０の画素部Ｐ１,１〜ＰＭ,Ｎそれぞれの電荷蓄積部に蓄積された電荷の量に応じたデジタル値（画素データ）を出力し、また、モニタ用受光部２０で単位時間当りに発生する電荷の量に応じたパルス頻度の入射光モニタ信号を出力する。制御部７０は、出力部６０から出力された入射光モニタ信号を入力し、この入射光モニタ信号のパルス頻度が閾値より大きいときに撮像用受光部１０の画素部Ｐｍ,１〜Ｐｍ,Ｎそれぞれに対して電荷蓄積動作を指示する電荷蓄積動作制御信号を出力する。【選択図】図１
2008131385.tif 000002
【特許請求の範囲】
【請求項１】
入射光量に応じた量の電荷を発生するフォトダイオードと該電荷を蓄積する電荷蓄積部とを各々有する複数の画素部を含み、電荷蓄積動作制御信号が指示する期間に前記複数の画素部それぞれにおいて前記フォトダイオードで発生した電荷を前記電荷蓄積部により蓄積する撮像用受光部と、
入射光量に応じた量の電荷を発生するモニタ用フォトダイオードを含むモニタ用受光部と、
前記電荷蓄積動作制御信号が指示する前記期間の後に、前記複数の画素部それぞれの前記電荷蓄積部に蓄積された電荷の量に応じたデジタル値（以下「画素データ」という。）を出力するＡ／Ｄ変換回路と、
前記モニタ用受光部で発生した電荷を入力して、単位時間当りの当該入力電荷量に応じた頻度のパルスを有する入射光モニタ信号を出力するＩ／Ｆ変換回路と、
を備えることを特徴とする固体撮像装置。
【請求項２】
前記Ｉ／Ｆ変換回路は、
入力端子および出力端子を有し該入力端子が前記モニタ用受光部に接続されたアンプと、前記アンプの前記入力端子と前記出力端子との間に設けられた容量素子およびスイッチと、前記アンプの前記出力端子から出力される電圧値と基準電圧値とを大小比較して当該比較結果を表す信号を前記入射光モニタ信号として出力する比較回路とを含み、
前記スイッチが前記入射光モニタ信号のレベルに応じて開閉制御される、
ことを特徴とする請求項１記載の固体撮像装置。
【請求項３】
前記電荷蓄積動作制御信号が指示する前記期間の後に前記Ａ／Ｄ変換回路から出力される前記画素データを出力信号線へ出力するとともに、
前記画素データを出力していない期間に前記Ｉ／Ｆ変換回路から出力される前記入射光モニタ信号を前記出力信号線へ出力する、
ことを特徴とする請求項１記載の固体撮像装置。
【請求項４】
前記Ｉ／Ｆ変換回路から出力された前記入射光モニタ信号を入力し、この入射光モニタ信号のパルス頻度が閾値より大きいときに前記撮像用受光部の前記複数の画素部それぞれに対して電荷蓄積動作を指示する前記電荷蓄積動作制御信号を生成する制御部を更に備えることを特徴とする請求項１記載の固体撮像装置。
【請求項５】
前記モニタ用受光部が、前記撮像用受光部を取り囲んで設けられている１つのモニタ用フォトダイオードを含む、ことを特徴とする請求項１記載の固体撮像装置。
【請求項６】
前記モニタ用受光部が、前記撮像用受光部の周囲に設けられ互いに接続されている複数のモニタ用フォトダイオードを含む、ことを特徴とする請求項１記載の固体撮像装置。
【発明の詳細な説明】
【技術分野】
【０００１】
本発明は、入射光量に応じた量の電荷を発生するフォトダイオードを各々有する複数の画素部が２次元配置された受光部を備える固体撮像装置に関するものである。
【背景技術】
【０００２】
固体撮像装置は、フォトダイオードを各々有する複数の画素部が２次元配置された受光部を備えており、また、各画素部のフォトダイオードで発生した電荷の量に応じたデジタル値を出力するＡ／Ｄ変換回路をも備える場合がある。このような固体撮像装置において、画素数が増加の一途にあり、また、撮像の高速化が求められている。このような画素数の増加と撮像の高速化は、一般に固体撮像装置の消費電力の増加をもたらすことになる。
【特許文献１】特表２００２−５０５００２号公報
【発明の開示】
【発明が解決しようとする課題】
【０００３】
ところで、固体撮像装置の用途によっては、消費電力の増加を抑制したい場合や、寧ろ消費電力を低減したい場合がある。例えば、固体撮像装置を長時間に亘ってバッテリ駆動したい場合や、固体撮像装置を含む機器の構造上の理由から発熱を抑制したい場合、等である。本発明は、上記問題点を解消する為になされたものであり、画素数の増加や撮像の高速化を図る場合であっても消費電力の増大を抑制することができる固体撮像装置を提供することを目的とする。
【課題を解決するための手段】
【０００４】
本発明に係る固体撮像装置は、(1) 入射光量に応じた量の電荷を発生するフォトダイオードと該電荷を蓄積する電荷蓄積部とを各々有する複数の画素部を含み、電荷蓄積動作制御信号が指示する期間に複数の画素部それぞれにおいてフォトダイオードで発生した電荷を電荷蓄積部により蓄積する撮像用受光部と、(2) 入射光量に応じた量の電荷を発生するモニタ用フォトダイオードを含むモニタ用受光部と、(3) 電荷蓄積動作制御信号が指示する期間の後に、複数の画素部それぞれの電荷蓄積部に蓄積された電荷の量に応じたデジタル値（以下「画素データ」という。）を出力するＡ／Ｄ変換回路と、(4) モニタ用受光部で発生した電荷を入力して、単位時間当りの当該入力電荷量に応じた頻度のパルスを有する入射光モニタ信号を出力するＩ／Ｆ変換回路と、を備えることを特徴とする。
【０００５】
本発明に係る固体撮像装置では、撮像用受光部に含まれる複数の画素部それぞれは、入射光量に応じた量の電荷を発生するフォトダイオードと、該電荷を蓄積する電荷蓄積部とを有する。電荷蓄積動作制御信号が指示する期間に、複数の画素部それぞれにおいて、フォトダイオードで発生した電荷は電荷蓄積部により蓄積される。そして、電荷蓄積動作制御信号が指示する期間の後に、複数の画素部それぞれの電荷蓄積部に蓄積された電荷の量に応じたデジタル値（画素データ）がＡ／Ｄ変換回路から出力される。一方、モニタ用受光部に含まれるモニタ用フォトダイオードでも入射光量に応じた量の電荷が発生し、その電荷がＩ／Ｆ変換回路に入力され、Ｉ／Ｆ変換回路から入射光モニタ信号が出力される。この入射光モニタ信号は、単位時間当りにＩ／Ｆ変換回路に入力される電荷の量（すなわち、入力電流値）に応じた頻度でパルスを有する。
【０００６】
したがって、Ｉ／Ｆ変換回路から出力される入射光モニタ信号のパルス頻度に基づいて、固体撮像装置に入射する光のレベルを監視することができる。入射光モニタ信号のパルス頻度が閾値より大きいときに撮像用受光部の各画素部に対して電荷蓄積動作制御信号を与えて、各画素部においてフォトダイオードで発生した電荷を電荷蓄積部に蓄積させ、その後にＡ／Ｄ変換回路を動作させることができる。このように或る一定期間だけＡ／Ｄ変換回路を動作させればよいので、画素数の増加や撮像の高速化を図る場合であっても、消費電力の増大を抑制することができる。
【０００７】
本発明に係る固体撮像装置では、Ｉ／Ｆ変換回路は、入力端子および出力端子を有し該入力端子がモニタ用受光部に接続されたアンプと、アンプの入力端子と出力端子との間に設けられた容量素子およびスイッチと、アンプの出力端子から出力される電圧値と基準電圧値とを大小比較して当該比較結果を表す信号を入射光モニタ信号として出力する比較回路とを含み、スイッチが入射光モニタ信号のレベルに応じて開閉制御されることを特徴とするのが好適である。この場合には、受光部への入射光量に応じたパルス頻度を有する入射光モニタ信号が比較回路から出力される。
【０００８】
本発明に係る固体撮像装置は、電荷蓄積動作制御信号が指示する期間の後にＡ／Ｄ変換回路から出力される画素データを出力信号線へ出力するとともに、画素データを出力していない期間にＩ／Ｆ変換回路から出力される入射光モニタ信号を出力信号線へ出力するのが好適である。この場合には、画素データおよび入射光モニタ信号が共通の出力信号線へ時分割で出力されるので、外部機器との間で信号等を入出力するための配線の本数が少なくてよく、例えば口腔内におけるＸ線撮像において用いられる場合には信頼性が高いものとなる。なお、共通の出力信号線へ出力される画素データはシリアルデータであるのが好適である。
【０００９】
本発明に係る固体撮像装置は、Ｉ／Ｆ変換回路から出力された入射光モニタ信号を入力し、この入射光モニタ信号のパルス頻度が閾値より大きいときに撮像用受光部の複数の画素部それぞれに対して電荷蓄積動作を指示する電荷蓄積動作制御信号を生成する制御部を更に備えるのが好適である。この場合には、Ｉ／Ｆ変換回路から出力された入射光モニタ信号のパルス頻度に基づいて制御部により電荷蓄積動作制御信号が自動的に生成される。
【００１０】
本発明に係る固体撮像装置では、モニタ用受光部は、撮像用受光部を取り囲んで設けられている１つのモニタ用フォトダイオードを含むのが好適である。また、モニタ用受光部は、撮像用受光部の周囲に設けられ互いに接続されている複数のモニタ用フォトダイオードを含むのも好適である。このようにモニタ用受光部が構成されていることにより、固体撮像装置への光の入射が高感度に検知され得る。
【発明の効果】
【００１１】
本発明に係る固体撮像装置は、画素数の増加や撮像の高速化を図る場合であっても、消費電力の増大を抑制することができる。
【発明を実施するための最良の形態】
【００１２】
以下、添付図面を参照して、本発明を実施するための最良の形態を詳細に説明する。なお、図面の説明において同一の要素には同一の符号を付し、重複する説明を省略する。
【００１３】
図１は、本実施形態に係る固体撮像装置１の構成図である。この図に示される固体撮像装置１は、撮像用受光部１０、モニタ用受光部２０、行選択部３０、列選択部４０、電圧保持部５０、出力部６０および制御部７０を備える。なお、この図では、要素間の配線については省略または簡略化されている。
【００１４】
撮像用受光部１０は、入射した光の像を撮像するためのものであり、Ｍ行Ｎ列に２次元配列された画素部Ｐ１,１〜ＰＭ,Ｎを含む。画素部Ｐｍ,ｎは第ｍ行第ｎ列に位置している。Ｍ×Ｎ個の画素部Ｐ１,１〜ＰＭ,Ｎは、共通の構成を有していて、入射光量に応じた量の電荷を発生するフォトダイオードと、該電荷を蓄積する電荷蓄積部とを有している。撮像用受光部１０は、制御部７０から出力される電荷蓄積動作制御信号が指示する期間に、Ｍ×Ｎ個の画素部Ｐ１,１〜ＰＭ,Ｎそれぞれにおいてフォトダイオードで発生した電荷を電荷蓄積部により蓄積する。なお、Ｍ，Ｎは２以上の整数であり、ｍは１以上Ｍ以下の整数であり、ｎは１以上Ｎ以下の整数である。
【００１５】
モニタ用受光部２０は、光の入射を検知するためのものであり、入射光量に応じた量の電荷を発生するモニタ用フォトダイオードを含む。モニタ用受光部２０に含まれるモニタ用フォトダイオードの個数や配置については種々の態様があり得るが、光の入射を高感度に検知するためには、撮像用受光部１０を取り囲むようにモニタ用フォトダイオードが設けられているのが好適であり、また、受光面積が広いのが好適である。モニタ用受光部２０は、図示の如く撮像用受光部１０を取り囲んで設けられている１つのモニタ用フォトダイオードを含むのが好適であり、或いは、撮像用受光部１０の周囲に設けられ互いに並列接続されている複数のモニタ用フォトダイオードを含むのも好適である。
【００１６】
行選択部３０は、制御部７０による制御の下に、撮像用受光部１０における各行を順次に指定して、その指定した第ｍ行のＮ個の画素部Ｐｍ,１〜Ｐｍ,Ｎそれぞれの電荷蓄積部に蓄積された電荷の量に応じた電圧値を電圧保持部５０へ出力させる。行選択部３０は、Ｍ段のシフトレジスタ回路を含み、このシフトレジスタ回路の各段の出力ビットにより、撮像用受光部１０における各行を順次に指定することができる。
【００１７】
電圧保持部５０は、共通の構成を有するＮ個の保持回路Ｈ１〜ＨＮを含む。保持回路Ｈｎは、撮像用受光部１０における第ｎ列のＭ個の画素部Ｐ１,ｎ〜ＰＭ,ｎと接続されていて、これらのうちの何れかの画素部Ｐｍ,ｎから出力された電圧値を入力し、その入力した電圧値を保持して出力する。保持回路Ｈｎは、雑音成分が重畳された信号成分を表す電圧値を保持するとともに、雑音成分を表す電圧値も保持することができる。
【００１８】
列選択部４０は、電圧保持部５０に含まれるＮ個の保持回路Ｈ１〜ＨＮを順次に指定して、その指定した第ｎの保持回路Ｈｎにより保持されている電圧値を出力部６０へ出力させる。列選択部４０は、Ｎ段のシフトレジスタ回路を含み、このシフトレジスタ回路の各段の出力ビットにより、Ｎ個の保持回路Ｈ１〜ＨＮを順次に指定することができる。
【００１９】
出力部６０は、制御部７０から出力される電荷蓄積動作制御信号が指示する期間（すなわち、各画素部Ｐｍ,ｎにおいてフォトダイオードで発生した電荷を電荷蓄積部により蓄積する期間）の後に、Ｍ×Ｎ個の画素部Ｐ１,１〜ＰＭ,Ｎそれぞれの電荷蓄積部に蓄積された電荷の量に応じたデジタル値（画素データ）を出力し、また、モニタ用受光部２０で単位時間当りに発生する電荷の量に応じたパルス頻度の入射光モニタ信号を出力する。出力部６０は、画素データおよび入射光モニタ信号を共通の出力信号線Ｌoutへ出力するのが好適であり、また、画素データをシリアルデータとして出力するのも好適である。これらの場合には、これらのデータを出力するための配線の本数を削減することができ、信頼性向上の点で有利である。
【００２０】
制御部７０は、固体撮像装置１の全体の動作を制御するものである。例えば、制御部７０は、行選択部３０における行選択動作、列選択部４０における列選択動作、電圧保持部５０におけるデータ保持動作、出力部６０における画素データおよび入射光モニタ信号の出力動作、を制御する。また、制御部７０は、出力部６０から出力された入射光モニタ信号を入力し、この入射光モニタ信号のパルス頻度が閾値より大きいときに、撮像用受光部１０の画素部Ｐｍ,１〜Ｐｍ,Ｎそれぞれに対して電荷蓄積動作を指示する電荷蓄積動作制御信号を出力する。さらに、制御部７０は、出力部６０による画素データの各ビットの出力のタイミングに同期したクロック信号ＣＬＫを出力する。
【００２１】
なお、撮像用受光部１０の画素部Ｐｍ,１〜Ｐｍ,Ｎそれぞれに対して電荷蓄積動作を指示する電荷蓄積動作制御信号は、制御部７０から撮像用受光部１０に直接に供給されてもよく、各画素部Ｐｍ,ｎに含まれる各トランジスタのゲート端子に与えられる制御信号（後述するReset(m)信号，Trans(m)信号およびHold(m)信号）とともに電荷蓄積動作を指示するものであってもよい。或いは、電荷蓄積動作制御信号が制御部７０から行選択部３０に供給されて、この電荷蓄積動作制御信号に基づいて、各画素部Ｐｍ,ｎに含まれる各トランジスタのゲート端子に与えられる制御信号が生成されてもよい。
【００２２】
図２は、本実施形態に係る固体撮像装置１に含まれる出力部６０の構成図である。この図に示される出力部６０は、差演算回路６１、Ｉ／Ｆ変換回路６２、Ａ／Ｄ変換回路６３、スイッチＳＷ６１およびスイッチＳＷ６２を有する。
【００２３】
差演算回路６１は、雑音成分が重畳された信号成分を表す電圧値を保持回路Ｈｎから入力するとともに、雑音成分を表す電圧値をも保持回路Ｈｎから入力して、両者の差に応じた電圧値を出力する。この差演算回路６１から出力される電圧値は、雑音成分が除去された信号成分を表す。Ａ／Ｄ変換回路６３は、差演算回路６１から出力される電圧値を入力し、この入力した電圧値をＡ／Ｄ変換して、そのＡ／Ｄ変換の結果であるデジタル値（画素データ）を出力する。
【００２４】
Ｉ／Ｆ変換回路６２は、モニタ用受光部２０から出力される電荷を入力し、モニタ用受光部２０で単位時間当りに発生する電荷の量（すなわち、モニタ用受光部２０からＩ／Ｆ変換回路６２に入力される電流値）に応じたパルス頻度の入射光モニタ信号を出力する。
【００２５】
Ａ／Ｄ変換回路６３は、電荷蓄積動作制御信号が指示する期間の後にＡ／Ｄ変換動作を行って画素データを出力する。Ａ／Ｄ変換回路６３が画素データを出力していない期間に、Ｉ／Ｆ変換回路６２は入射光モニタ信号を出力する。Ａ／Ｄ変換回路６３と比較してＩ／Ｆ変換回路６２は低消費電力で動作することができる。
【００２６】
スイッチＳＷ６１は、制御部７０から出力されるsel_data信号により制御されて開閉動作し、閉じているときに、Ａ／Ｄ変換回路６３から出力される画素データを出力信号線Ｌoutへ出力する。スイッチＳＷ６２は、制御部７０から出力されるsel_trig信号により制御されて開閉動作し、閉じているときに、Ｉ／Ｆ変換回路６２から出力される入射光モニタ信号を出力信号線Ｌoutへ出力する。スイッチＳＷ６１およびスイッチＳＷ６２は同時に閉じることはない。
【００２７】
図３は、本実施形態に係る固体撮像装置１に含まれる画素部Ｐｍ,ｎおよび保持回路Ｈｎそれぞれの回路構成を示す図である。なお、この図では、Ｍ×Ｎ個の画素部Ｐ１,１〜ＰＭ,Ｎのうち代表して画素部Ｐｍ,ｎが示され、Ｎ個の保持回路Ｈ１〜ＨＮのうち代表して保持回路Ｈｎが示されている。
【００２８】
画素部Ｐｍ,ｎは、ＡＰＳ（Active Pixel Sensor）方式のものであって、フォトダイオードＰＤおよび５個のＭＯＳトランジスタＴ１〜Ｔ５を含む。この図に示されるように、トランジスタＴ１，トランジスタＴ２およびフォトダイオードＰＤは順に直列的に接続されていて、基準電圧Ｖb1がトランジスタＴ１のドレイン端子に入力され、フォトダイオードＰＤのアノ−ド端子が接地されている。
【００２９】
トランジスタＴ３およびトランジスタＴ４は直列的に接続されていて、基準電圧Ｖb2がトランジスタＴ３のドレイン端子に入力され、トランジスタＴ４のソース端子が配線Ｖline(n)に接続されている。トランジスタＴ１とトランジスタＴ２との接続点は、トランジスタＴ５を介してトランジスタＴ３のゲート端子に接続されている。また、配線Ｖline(n)には定電流源が接続されている。
【００３０】
Reset(m)信号がトランジスタＴ１のゲート端子に入力され、Trans(m)信号がトランジスタＴ２のゲート端子に入力され、Address(m)信号がトランジスタＴ４のゲート端子に入力され、また、Hold(m)信号がトランジスタＴ５のゲート端子に入力される。これらReset(m)信号，Trans(m)信号，Address(m)信号およびHold(m)信号は、制御部７０による制御の下に行選択部３０から出力され、第ｍ行のＮ個の画素部Ｐｍ,１〜Ｐｍ,Ｎに対して共通に入力される。
【００３１】
Reset(m)信号およびTrans(m)信号がハイレベルであるとき、フォトダイオードＰＤの接合容量部（電荷蓄積部）が放電され、さらに、Hold(m)信号もハイレベルであると、トランジスタＴ３のゲート端子の電位がリセットされる。その後に、Reset(m)信号，Trans(m)信号およびHold(m)信号がローレベルになると、フォトダイオードで発生した電荷は接合容量部に蓄積されていく。Hold(m)信号がローレベルであって、Address(m)信号がハイレベルであると、画素部Ｐｍ,ｎから配線Ｖline(n)へノイズ成分が出力される。そして、Trans(m)信号，Hold(m)信号およびAddress(m)信号がハイレベルになると、フォトダイオードＰＤの接合容量部に蓄積されている電荷の量に応じた電圧値が配線Ｖline(n)へ信号成分として出力される。
【００３２】
保持回路Ｈｎは、２つの容量素子Ｃ１，Ｃ２、および、４つのスイッチＳＷ１１，ＳＷ１２，ＳＷ２１，ＳＷ２２を含む。このホールド回路Ｈｎでは、スイッチＳＷ１１およびスイッチＳＷ１２は、直列的に接続されて配線Ｖline(n)と配線Ｈline_sとの間に設けられ、容量素子Ｃ１の一端は、スイッチＳＷ１１とスイッチＳＷ１２との間の接続点に接続され、容量素子Ｃ１の他端は接地されている。また、スイッチＳＷ２１およびスイッチＳＷ２２は、直列的に接続されて配線Ｖline(n)と配線Ｈline_nとの間に設けられ、容量素子Ｃ２の一端は、スイッチＳＷ２１とスイッチＳＷ２２との間の接続点に接続され、容量素子Ｃ２の他端は接地されている。
【００３３】
このホールド回路Ｈｎでは、スイッチＳＷ１１は、制御部７０から供給されるset_s信号のレベルに応じて開閉する。スイッチＳＷ２１は、制御部７０から供給されるset_n信号のレベルに応じて開閉する。set_s信号およびset_n信号は、Ｎ個のホールド回路Ｈ１〜ＨＮに対して共通に入力される。スイッチＳＷ１２，ＳＷ２２は、制御部７０から供給されるhshift(n)信号のレベルに応じて開閉する。
【００３４】
このホールド回路Ｈｎでは、set_n信号がハイレベルからローレベルに転じてスイッチＳＷ２１が開くときに画素部Ｐｍ,ｎから配線Ｖline(n)へ出力されていたノイズ成分が、それ以降、容量素子Ｃ２により電圧値out_n(n)として保持される。set_s信号がハイレベルからローレベルに転じてスイッチＳＷ１１が開くときに画素部Ｐｍ,ｎから配線Ｖline(n)へ出力されていた信号成分が、それ以降、容量素子Ｃ１により電圧値out_s(n)として保持される。そして、hshift(n)信号がハイレベルになると、スイッチＳＷ１２が閉じて、容量素子Ｃ１により保持されていた電圧値out_s(n)が配線Ｈline_sへ出力され、また、スイッチＳＷ２２が閉じて、容量素子Ｃ２により保持されていた電圧値out_n(n)が配線Ｈline_nへ出力される。これら電圧値out_s(n)と電圧値out_n(n)との差が、画素部Ｐｍ,ｎのフォトダイオードＰＤで発生した電荷の量に応じた電圧値を表す。
【００３５】
図４は、本実施形態に係る固体撮像装置１に含まれる差演算回路６１の回路構成を示す図である。この図に示されるように、差演算回路６１は、アンプＡ６４〜Ａ６６、スイッチＳＷ６４、ＳＷ６５、および、抵抗器Ｒ１〜Ｒ４を含む。アンプＡ６６の反転入力端子は、抵抗器Ｒ１を介してバッファアンプＡ６４の出力端子と接続され、抵抗器Ｒ３を介して自己の出力端子と接続されている。アンプＡ６６の非反転入力端子は、抵抗器Ｒ２を介してバッファアンプＡ６５の出力端子と接続され、抵抗器Ｒ４を介して接地電位と接続されている。アンプＡ６６の出力端子は画素用Ａ／Ｄ変換回路６３の入力端子と接続されている。バッファアンプＡ６４の入力端子は、配線Ｈline_sを介してＮ個の保持回路Ｈ１〜ＨＮと接続され、スイッチＳＷ６４を介して接地電位と接続されている。バッファアンプＡ６５の入力端子は、配線Ｈline_nを介してＮ個の保持回路Ｈ１〜ＨＮと接続され、スイッチＳＷ６５を介して接地電位と接続されている。
【００３６】
差演算回路６１のスイッチＳＷ６４，ＳＷ６５は、hreset信号により制御されて開閉動作する。スイッチＳＷ６４が閉じることで、バッファアンプＡ６４の入力端子に入力される電圧値がリセットされる。スイッチＳＷ６５が閉じることで、バッファアンプＡ６５の入力端子に入力される電圧値がリセットされる。スイッチＳＷ６４，ＳＷ６５が開いているときに、Ｎ個の保持回路Ｈ１〜ＨＮのうちの何れかの保持回路Ｈｎから配線Ｈline_s，Ｈline_nへ出力された電圧値out_s(n)，out_n(n)が、バッファアンプＡ６４，Ａ６５の入力端子に入力される。バッファアンプＡ６４，Ａ６５それぞれの増幅率を１とし、４個の抵抗器Ｒ１〜Ｒ４それぞれの抵抗値が互いに等しいとすると、差演算回路６１の出力端子から出力される電圧値は、配線Ｈline_sおよび配線Ｈline_nそれぞれを経て入力される電圧値の差を表す。
【００３７】
図５は、本実施形態に係る固体撮像装置１に含まれるＩ／Ｆ変換回路６２の回路構成を示す図である。この図に示されるように、Ｉ／Ｆ変換回路６２は、積分回路６７および比較回路６８を含む。また、積分回路６７は、アンプＡ６７，容量素子Ｃ６７およびスイッチＳＷ６７を有する。アンプＡ６７の反転入力端子は、モニタ用受光部２０に接続されている。アンプＡ６７の非反転入力端子は、バイアス電位Ｖbに接続されている。アンプＡ６７の反転入力端子と出力端子との間に、互いに並列的に接続された容量素子Ｃ６７およびスイッチＳＷ６７が設けられている。比較回路６８は、アンプＡ６７の出力端子から出力される電圧値と基準電圧値Ｖrefとを大小比較して、当該比較結果を表す信号を入射光モニタ信号として出力する。この入射光モニタ信号のレベルに応じてスイッチＳＷ６７は開閉制御される。
【００３８】
このＩ／Ｆ変換回路６２は、スイッチＳＷ６７が開いていると、モニタ用受光部２０からアンプＡ６７の反転入力端子に入力された電荷が容量素子Ｃ６７に蓄積されていき、その蓄積電荷量に応じた電圧値がアンプＡ６７の出力端子から出力される。アンプＡ６７の出力端子から出力された電圧値は比較回路６８により基準電圧値Ｖrefと大小比較され、当該比較結果を表す信号が入射光モニタ信号として出力される。
【００３９】
容量素子Ｃ６７に電荷が蓄積されていくに従い、やがて、アンプＡ６７の出力端子から出力される電圧値と基準電圧値Ｖrefとの大小関係が逆転して、入射光モニタ信号のレベルが変化し、これに応じてスイッチＳＷ６７が閉じる。スイッチＳＷ６７が閉じると、容量素子Ｃ６７が放電され、アンプＡ６７の出力端子から出力される電圧値が初期化され、アンプＡ６７の出力端子から出力される電圧値と基準電圧値Ｖrefとの大小関係が再び逆転して、入射光モニタ信号のレベルが再び変化し、これに応じてスイッチＳＷ６７が開く。このように、Ｉ／Ｆ変換回路６２の比較回路６８から出力される入射光モニタ信号は、レベルが時間的に変化するパルス信号となる。入射光モニタ信号のパルス頻度は、モニタ用受光部２０からアンプＡ６７の反転入力端子への電荷流入の速度（電流値）を表し、すなわち、モニタ用受光部２０への光入射の強度を表す。
【００４０】
次に、本実施形態に係る固体撮像装置１の動作の一例について説明する。図６は、本実施形態に係る固体撮像装置１の動作の一例を示すタイミングチャートである。固体撮像装置１は、制御部７０による制御の下に動作する。この図には、上から順に、(a) 固体撮像装置１に入射する光の強度、(b) Ｉ／Ｆ変換回路６２の積分回路６７から出力される電圧値、(c)Ｉ／Ｆ変換回路６２から出力される入射光モニタ信号、(d) 制御部７０から出力される電荷蓄積動作制御信号、(e) 出力部６０から出力される信号、が示されている。なお、この図では、撮像用受光部１０の第ｍ行についてＡ／Ｄ変換回路６３から出力されるデジタル値（画素データ）をＤdata(m)と表している。
【００４１】
ここで、図６に図示はしないが、時刻ｔ０前のリセット動作について、まず説明する。固体撮像装置１に電源が投入された直後の一定期間に、制御部７０から出力される電荷蓄積動作制御信号がハイレベルとされる。そして、この電荷蓄積動作制御信号がローレベルに転じた後に、撮像用受光部１０から電圧保持部５０，差演算回路６１，Ａ／Ｄ変換回路６３およびスイッチＳＷ６１を経て１フレーム分の画素データが出力部６０から出力される。このとき出力される画素データは無意味なものであるが、電源投入後の一定期間に亘って電荷蓄積動作制御信号がハイレベルとされることにより、撮像用受光部１０の各画素部Ｐｍ,ｎや他の回路がリセットされ、その後の正常動作が可能となる。
【００４２】
また、このリセットにより、行選択部３０から各画素部Ｐｍ,ｎに供給されるReset(m)信号，Trans(m)信号およびHold(m)信号がともにハイレベルとされて、トランジスタＴ１，Ｔ２，Ｔ５がオン状態となっていて、フォトダイオードＰＤの接合容量部（電荷蓄積部）が放電され、トランジスタＴ３のゲート端子の電位がリセットされる。また、Ｉ／Ｆ変換回路６２の積分回路６７に含まれるスイッチＳＷ６７は、一定期間だけ閉じた後に開く。
【００４３】
その後、固体撮像装置１に光が入射していない期間では、モニタ用受光部２０に含まれるモニタ用フォトダイオードでは暗電流が発生する。その暗電流は、Ｉ／Ｆ変換回路６２の積分回路６７に入力され、容量素子Ｃ６７に電荷が蓄積されていく。これにより積分回路６７から出力される電圧値は次第に増加していくが、その増加速度は遅い。
【００４４】
したがって、固体撮像装置１に光が入射していない期間では、Ｉ／Ｆ変換回路６２から出力される入射光モニタ信号のパルス間隔は広い。そして、制御部７０において、入射光モニタ信号のパルス間隔が所定値より広いと判定され、固体撮像装置１に光が入射していない（または、入射光量が一定レベルより小さい）と判断されて、電荷蓄積動作制御信号がローレベルのままとされる。出力部６０からは、この入射光モニタ信号が出力される。
【００４５】
やがて、固体撮像装置１に光が入射し始めると、モニタ用受光部２０に含まれるモニタ用フォトダイオードで発生した電荷は、Ｉ／Ｆ変換回路６２の積分回路６７に入力され、容量素子Ｃ６７に電荷が蓄積されていく。これにより積分回路６７から出力される電圧値は次第に増加していくが、その増加速度は入射光量に応じたものとなる。
【００４６】
したがって、固体撮像装置１に光が入射し始めると、Ｉ／Ｆ変換回路６２から出力される入射光モニタ信号のパルス間隔は狭くなる（パルス頻度が高くなる）。そして、制御部７０において、入射光モニタ信号のパルス頻度が所定値より高いと判定され、固体撮像装置１に光が入射している（または、入射光量が一定レベル以上である）と判断されて、時刻ｔ１に電荷蓄積動作制御信号がハイレベルに転じる。この後も暫くは出力部６０から入射光モニタ信号が出力される。
【００４７】
そして、電荷蓄積動作制御信号がハイレベルに転じた時刻ｔ１から、電荷蓄積動作制御信号がローレベルに転じる時刻ｔ２までの期間、撮像用受光部１０の各画素部Ｐｍ,ｎでは、Reset(m)信号，Trans(m)信号およびHold(m)信号がローレベルになって、トランジスタＴ１，Ｔ２，Ｔ５がオフ状態となり、フォトダイオードＰＤで発生した電荷は接合容量部に蓄積されていく。この期間も出力部６０から入射光モニタ信号が出力される。
【００４８】
なお、このときに出力される入射光モニタ信号に基づいて累計の入射光量をモニタすることができる。そして、このモニタした累計の入射光量に基づいて撮像用受光部１０における電荷蓄積の時間（すなわち、電荷蓄積動作制御信号がハイレベルとされる期間ｔ１〜ｔ２）を適正値に設定することができる。また、このモニタした入射光量が一定レベルより小さくなった時点で、電荷蓄積動作制御信号をローレベルとしてもよい。或いは、入射光量を予め予測できる場合には、その予測値に基づいて電荷蓄積時間を適正値に設定してもよい。
【００４９】
電荷蓄積動作制御信号がローレベルに転じた時刻ｔ２から時刻ｔ３までの期間、撮像用受光部１０の各画素部Ｐｍ,ｎでは、Reset(m)信号およびAddress(m)信号がローレベルとなって、トランジスタＴ１，Ｔ４がオフ状態となり、また、Trans(m)信号およびHold(m)信号がハイレベルになって、トランジスタＴ２，Ｔ５がオン状態となる。これにより、それまでに接合容量部に蓄積されていた電荷は、トランジスタＴ２，Ｔ５を経て、トランジスタＴ３のゲート端子に移動してホールドされる。ただし、トランジスタＴ４がオフ状態であるので、電荷蓄積量に応じた電圧値が各画素部Ｐｍ,ｎから配線Ｖline(n)へ出力されることは無い。
【００５０】
続く時刻ｔ３から時刻ｔ４までの期間に、撮像用受光部１０の第１行にあるＮ個の画素部Ｐ１,１〜Ｐ１,Ｎにおける電荷蓄積量に応じたＮ個の画素データＤdata(1)が出力部６０から出力される。具体的には、撮像用受光部１０の第１行においてのみ、Address(1)信号がハイレベルとなり、トランジスタＴ４がオン状態となって、第１行にある各画素部Ｐ１,ｎにおける電荷蓄積量に応じた電圧値が、配線Ｖline(n)へ出力され、電圧保持部５０の保持回路Ｈｎにより保持される。そして、各保持回路Ｈｎから順次に出力された電圧値は差演算回路６１を経てＡ／Ｄ変換回路６３に入力されてＡ／Ｄ変換され、Ａ／Ｄ変換回路６３からスイッチＳＷ６１を経て順次にＮ個の画素データＤdata(1)が出力される。
【００５１】
続く時刻ｔ４から時刻ｔ５までの期間に、撮像用受光部１０の第２行にあるＮ個の画素部Ｐ２,１〜Ｐ２,Ｎにおける電荷蓄積量に応じたＮ個の画素データＤdata(2)が出力部６０から出力される。具体的には、撮像用受光部１０の第２行においてのみ、Address(2)信号がハイレベルとなり、トランジスタＴ４がオン状態となって、第２行にある各画素部Ｐ２,ｎにおける電荷蓄積量に応じた電圧値が、配線Ｖline(n)へ出力され、電圧保持部５０の保持回路Ｈｎにより保持される。そして、各保持回路Ｈｎから順次に出力された電圧値は差演算回路６１を経てＡ／Ｄ変換回路６３に入力されてＡ／Ｄ変換され、Ａ／Ｄ変換回路６３からスイッチＳＷ６１を経て順次にＮ個の画素データＤdata(2)が出力される。
【００５２】
更に続く時刻ｔ５から時刻ｔ６までの期間に、撮像用受光部１０の第３行にあるＮ個の画素部Ｐ３,１〜Ｐ３,Ｎにおける電荷蓄積量に応じたＮ個の画素データＤdata(3)が出力部６０から出力される。具体的には、撮像用受光部１０の第３行においてのみ、Address(3)信号がハイレベルとなり、トランジスタＴ４がオン状態となって、第3行にある各画素部Ｐ３,ｎにおける電荷蓄積量に応じた電圧値が、配線Ｖline(n)へ出力され、電圧保持部５０の保持回路Ｈｎにより保持される。そして、各保持回路Ｈｎから順次に出力された電圧値は差演算回路６１を経てＡ／Ｄ変換回路６３に入力されてＡ／Ｄ変換され、Ａ／Ｄ変換回路６３からスイッチＳＷ６１を経て順次にＮ個の画素データＤdata(3)が出力される。
【００５３】
以降も同様にして、撮像用受光部１０の第４行から第Ｍ行まで順次に、第ｍ行にあるＮ個の画素部Ｐｍ,１〜Ｐｍ,Ｎにおける電荷蓄積量に応じたＮ個の画素データＤdata(m)が出力部６０から出力される。このようにして、撮像用受光部１０から電圧保持部５０，差演算回路６１，Ａ／Ｄ変換回路６３およびスイッチＳＷ６１を経て１フレーム分の画素データＤdata(1)〜Ｄdata(M)が出力部６０から出力される。そして、１フレーム分の画素データが出力された後、再び、時刻ｔ１前と同じ状態に戻る。
【００５４】
このように、本実施形態に係る固体撮像装置１では、受光部への入射光量を監視するＩ／Ｆ変換回路６２が設けられていて、Ｉ／Ｆ変換回路６２から出力される入射光モニタ信号に基づいて、撮像用受光部１０に光が入射しているか否か（または、入射光量が一定レベル以上であるか否か）が判断される。そして、撮像用受光部１０に光が入射している（または、入射光量が一定レベル以上である）と判断されたときに、撮像用受光部１０の画素部Ｐ１,１〜ＰＭ,Ｎそれぞれにおける電荷蓄積量に応じた画素データＤdata(1)〜Ｄdata(M)が出力部６０から出力される。すなわち、撮像用受光部１０から出力部６０へ到る画素データの読出動作、その中でも特にＡ／Ｄ変換回路６３におけるＡ／Ｄ変換動作は、撮像用受光部１０への光入射があったときのみでよい。したがって、本実施形態に係る固体撮像装置１は、画素数の増加や撮像の高速化を図る場合であっても、消費電力の増大を抑制することができる。
【００５５】
本実施形態に係る固体撮像装置１は、例えば以下のような用途の際に効果を発揮することができる。すなわち、固体撮像装置１は、撮像用受光部１０の受光面上にシンチレータが設けられることで、入射したＸ線をシンチレータにより可視光に変換して、その可視光を撮像用受光部１０のフォトダイオードで受光することができ、これにより、入射したＸ線を撮像することができる。このようなシンチレータが設けられた固体撮像装置１は、口腔内におけるＸ線撮像に用いられる。
【００５６】
固体撮像装置１が口腔内におけるＸ線撮像に用いられる場合、撮像すべきＸ線の入射期間が極めて短く、固体撮像装置１はＸ線入射タイミングを捉えて該Ｘ線を撮像しなければならない。そこで、固体撮像装置１は、Ｉ／Ｆ変換回路６２によりＸ線入射を検知する。そして、固体撮像装置１は、Ｘ線入射を検知したら、撮像用受光部１０，電圧保持部５０，差演算回路６１およびＡ／Ｄ変換回路６３により画素データを読み出す。このようにすることにより、固体撮像装置１は、Ｘ線入射タイミングを捉えて該Ｘ線を撮像することができる。
【００５７】
このように、固体撮像装置１が口腔内におけるＸ線撮像に用いられる場合、Ｘ線入射前にはＡ／Ｄ変換回路６３を休止することができ、Ｘ線入射時のみＡ／Ｄ変換回路６３を動作させればよい。したがって、この固体撮像装置１は、画素数の増加や撮像の高速化を図る場合であっても、消費電力の増大を抑制することができる。
【００５８】
また、固体撮像装置１が口腔内におけるＸ線撮像に用いられる場合、画素データおよび入射光モニタ信号を共通の出力信号線Ｌoutへ出力するのが好適であり、また、画素データをシリアルデータとして出力するのも好適である。これらの場合には、これらのデータを出力するための配線の本数を削減することができ、信頼性を向上させることができる。
【００５９】
さらに、固体撮像装置１は、光入射を検知した後に、撮像用受光部１０のＭ×Ｎ個の画素部Ｐ１,１〜ＰＭ,Ｎそれぞれにおいて同一期間にフォトダイオードＰＤで発生した電荷を電荷蓄積部により蓄積することができ、その電荷蓄積の後に、各画素部Ｐｍ,ｎについて画素データを順次に出力部６０から出力することができる。したがって、入射光量の時間的な変化が速い場合であっても、全ての画素部において同一期間の入射光量を捉えることができ、高精度の撮像を行うことができる。
【００６０】
本発明は、上記実施形態に限定されるものではなく、種々の変形が可能である。例えば、上記実施形態では制御部７０が電荷蓄積動作制御信号を生成したが、入射光モニタ信号に基づいて電荷蓄積動作制御信号を生成する外部機器を固体撮像装置とは別個に設けてもよい。この場合、固体撮像装置の出力部から外部機器へ入射光モニタ信号が出力され、その出力された入射光モニタ信号に基づいて外部機器により電荷蓄積動作制御信号が生成され、その生成された電荷蓄積動作制御信号が外部機器から固体撮像装置へ与えられる。
【００６１】
このようにすることにより、入射光モニタ信号のパルス頻度と閾値との大小比較に基づく光入射検知の際に、その閾値を外部機器において柔軟に調整することができる。また、電荷蓄積動作制御信号が電荷蓄積を指示する期間（すなわち、各画素部においてフォトダイオードで発生した電荷を電荷蓄積部により蓄積する期間）を外部機器において柔軟に調整することができ、幅広い入射光量レンジに容易に対応することができる。
【図面の簡単な説明】
【００６２】
【図１】本実施形態に係る固体撮像装置１の構成図である。
【図２】本実施形態に係る固体撮像装置１に含まれる出力部６０の構成図である。
【図３】本実施形態に係る固体撮像装置１に含まれる画素部Ｐｍ,ｎおよび保持回路Ｈｎそれぞれの回路構成を示す図である。
【図４】本実施形態に係る固体撮像装置１に含まれる差演算回路６１の回路構成を示す図である。
【図５】本実施形態に係る固体撮像装置１に含まれるＩ／Ｆ変換回路６２の回路構成を示す図である。
【図６】本実施形態に係る固体撮像装置１の動作の一例を示すタイミングチャートである。
【符号の説明】
【００６３】
１…固体撮像装置、１０…撮像用受光部、２０…モニタ用受光部、３０…行選択部、４０…列選択部、５０…電圧保持部、６０…出力部、６１…差演算回路、６２…Ｉ／Ｆ変換回路、６３…Ａ／Ｄ変換回路、７０…制御部、Ｐ１,１〜ＰＭ,Ｎ…画素部。
【図１】
2008131385.tif 000003
【図２】
2008131385.tif 000004
【図３】
2008131385.tif 000005
【図４】
2008131385.tif 000006
【図５】
2008131385.tif 000007
【図６】
2008131385.tif 000008